(57)【要約】      （修正有）【課題】グランド型の鍵盤楽器において、鍵盤楽器本体を支持する脚部の強度を保ちながらその外観を向上させること。【解決手段】脚部本体６の少なくとも一部およびピアノ本体の側板２３の少なくとも一部を覆うカバー６１が、脚部本体６に固定されるとともに側板２３にも固定され、脚部本体６がカバー６１を介してピアノ本体の側板２３にも固定される。つまり、脚部本体６がピアノ本体の棚板２１および側板２３に固定される。このことにより、例えば脚部本体６を細くすることによって脚部本体６における長さ寸法と幅寸法との比率を大きくすることでその外観を軽快感のある外観としても、ピアノ本体を支持するために必要な強度を保つことできる。【選択図】図３
2007256455.tif 000002
【特許請求の範囲】
【請求項１】
鍵盤の下方に配置された棚板および前記棚板の外周を取り囲む側板を有する鍵盤楽器本体と、
前記鍵盤楽器本体の左右端部付近それぞれを支持する一対の脚部と、
を備えるグランド型の鍵盤楽器であって、
前記脚部は、脚部本体と、前記脚部本体の少なくとも一部および前記側板の少なくとも一部を覆うカバーと、を有しており、
前記脚部本体は前記楽器本体の前記棚板に固定され、
前記カバーは前記脚部本体に固定されるとともに前記側板に固定されること
を特徴とするグランド型の鍵盤楽器。
【請求項２】
請求項１に記載のグランド型の鍵盤楽器において、
前記脚部は、前記脚部本体と前記カバーとを分離可能に連結する第一の連結部を有し、
前記脚部の前記カバーは、前記第一の連結部を隠蔽するよう構成されていること
を特徴とするグランド型の鍵盤楽器。
【請求項３】
請求項２に記載のグランド型の鍵盤楽器において、
前記第一の連結部は、
前記脚部本体または前記カバーの一方に形成された第一の被係止部と、
前記脚部本体または前記カバーの他方に形成され、前記第一の被係止部を係止可能な第一の係止部と、
を有し、前記第一の係止部が前記第一の被係止部を係止することで前記脚部本体と前記カバーとを連結させることを特徴とするグランド型の鍵盤楽器。
【請求項４】
請求項３に記載のグランド型の鍵盤楽器において、
前記第一の係止部は、面ファスナーの片側を有し、
前記第一の被係止部は、前記面ファスナーの片側に対応する面ファスナーの他方側を有し、
前記面ファスナーの片側と前記面ファスナーの他方側とを付着させることで前記脚部本体と前記カバーとを連結させることを特徴とするグランド型の鍵盤楽器。
【請求項５】
請求項１〜請求項４の何れかに記載のグランド型の鍵盤楽器において、
前記脚部は、前記側板と前記カバーとを分離可能に連結する第二の連結部を有し、
前記脚部の前記カバーは、前記第二の連結部を隠蔽するよう構成されていること
を特徴とするグランド型の鍵盤楽器。
【請求項６】
請求項５に記載のグランド型の鍵盤楽器において、
前記第二の連結部は、
前記側板または前記カバーの一方に形成された第二の被係止部と、
前記側板または前記カバーの他方に形成され、前記第二の被係止部を係止可能な第二の係止部と、
を有し、前記第二の係止部が前記第二の被係止部を係止することで前記側板と前記カバーとを連結させることを特徴とするグランド型の鍵盤楽器。
【請求項７】
請求項６に記載のグランド型の鍵盤楽器において、
前記第二の被係止部は、前記側板または前記カバーの一方から他方へ向けて突起する突起部を有し、
前記第二の係止部は、前記側板または前記カバーの他方に形成され、前記突起部を挿入可能な挿入孔を有し、
前記突起部を前記挿入孔に挿入させることで前記側板と前記カバーとを連結させることを特徴とするグランド型の鍵盤楽器。
【発明の詳細な説明】
【技術分野】
【０００１】
本発明は、グランド型の鍵盤楽器において、鍵盤楽器本体を支持する脚部の強度を保ちながらその外観を向上させる技術に関する。
【背景技術】
【０００２】
従来より、ピアノ本体と、このピアノ本体を支持する３本の脚部と、を備えるグランド型の電子ピアノが知られている（例えば、特許文献１参照。）。ピアノ本体は、その外装を構成する本体ケースを備えており、この本体ケースに、鍵盤や操作パネルなどが設けられている。また、本体ケースは、棚板をベースとして、側板、天板、開閉自在の大屋根や口棒などの合板などから成る複数の構成部材を連結して組み立てた構成を有している。そして、棚板の下面の左右端部および後端部には、脚部がそれぞれ取り付けられている。
【０００３】
このようなグランド型の電子ピアノは大型であり、その重量が重くなる。そのため、上述の脚部については、断面積を大きくするとともに、例えば３本のボルトを用いるなどピアノ本体の底板にしっかりと固定される。なお、一般的に、脚部における長さ寸法と幅寸法との比率が小さくなるとその外観が重厚感のある外観となり、一方、脚部における長さ寸法と幅寸法との比率が大きくなるとその外観が軽快感のある外観となる。したがって、上述のようなグランド型の電子ピアノの外観は、重厚感のある外観となっている。
【０００４】
ところで、近年の演奏者のニーズの多様化により、グランド型の電子ピアノにおいても例えば軽快感のある外観が求められることがある。このような演奏者のニーズに応えるためには、例えば上述のグランド型の電子ピアノの脚部を細く形成することが考えられる。このようにすれば、脚部における長さ寸法と幅寸法との比率が大きくなり、その外観が軽快感のある外観となる。
【特許文献１】特開２００４−１５１５９４号公報（第３頁、図３）
【発明の開示】
【発明が解決しようとする課題】
【０００５】
しかし、上述のようなグランド型の電子ピアノにおいては、その外観を向上させるために脚部を細くすると、大型で重量のあるピアノ本体を支持するためには脚部が強度不足となるおそれがあった。
【０００６】
なお、このようなことはグランド型の電子ピアノに限られず、同様に鍵盤楽器本体の左右端部それぞれを支持する一対の脚部を有するグランド型の鍵盤楽器においても同様の問題が生じていた。
【０００７】
本発明は、このような不具合に鑑みなされたものであり、その目的とするところは、グランド型の鍵盤楽器において、鍵盤楽器本体を支持する脚部の強度を保ちながらその外観を向上させる技術を提供することにある。
【課題を解決するための手段】
【０００８】
上記課題を解決するためになされた請求項１に係るグランド型の鍵盤楽器は、鍵盤の下方に配置された棚板および前記棚板の外周を取り囲む側板を有する鍵盤楽器本体と、前記鍵盤楽器本体の左右端部付近それぞれを支持する一対の脚部と、を備えるグランド型の鍵盤楽器であって、前記脚部は、脚部本体と、前記脚部本体の少なくとも一部および前記側板の少なくとも一部を覆うカバーと、を有しており、前記脚部本体は前記楽器本体の前記棚板に固定され、前記カバーは前記脚部本体に固定されるとともに前記側板に固定されることを特徴とする。
【０００９】
このように構成された本発明のグランド型の鍵盤楽器によれば、脚部本体の少なくとも一部および鍵盤楽器本体の側板の少なくとも一部を覆うカバーが、脚部本体に固定されるとともに側板にも固定されるので、脚部本体がカバーを介して鍵盤楽器本体の側板にも固定される。つまり、脚部本体が鍵盤楽器本体の棚板および側板に固定される。このことにより、例えば脚部本体を細くすることによって脚部本体における長さ寸法と幅寸法との比率を大きくすることでその外観を軽快感のある外観としても、鍵盤楽器本体を支持するために必要な強度を保つことできる。したがって、本発明のグランド型の鍵盤楽器において、鍵盤楽器本体を支持する脚部の強度を保ちながらその外観を向上させることができる。
【００１０】
なお、鍵盤楽器本体の後端部付近を支持する脚部についても、鍵盤楽器本体の左右端部付近それぞれを支持する一対の脚部と同様に構成してもよい。このように構成すれば、グランド型の鍵盤楽器の後部の外観も向上させることができる。
【００１１】
また、上述の脚部の脚部本体およびカバーについては、分離可能に連結することが考えられる。具体的には、請求項２のように、脚部が、脚部本体とカバーとを分離可能に連結する第一の連結部を有し、脚部の前記カバーが、第一の連結部を隠蔽するよう構成されていることが考えられる。このように構成すれば、例えばグランド型の鍵盤楽器を輸送する際などに、カバーを脚部本体から必要に応じて取り外すことができ、したがって、例えばグランド型の鍵盤楽器を輸送しやすくすることができる。
【００１２】
この場合、上述の第一の連結部については、脚部本体またはカバーの一方に形成された第一の被係止部と、脚部本体またはカバーの他方に形成され、第一の被係止部を係止可能な第一の係止部と、を有し、第一の係止部が第一の被係止部を係止することで脚部本体とカバーとを連結させることが考えられる（請求項３）。
【００１３】
なお、第一連結部の具体例としては、次のような構成が考えられる。
（イ）すなわち、請求項４のように、第一の係止部が、面ファスナーの片側を有し、第一の被係止部が、面ファスナーの片側に対応する面ファスナーの他方側を有し、面ファスナーの片側と面ファスナーの他方側とを付着させることで前記脚部本体と前記カバーとを連結させることが考えられる。このように構成すれば、面ファスナーの片側を面ファスナーの他方側へ押し付けるようにすれば両者を容易に付着させることができ、したがって、カバーを脚部本体に容易に取り付けることができる。
【００１４】
（ロ）また、第一の係止部が、脚部本体またはカバーの一方に形成された雌ネジを有し、第一の被係止部が、脚部本体またはカバーの他方を貫通するように形成された貫通穴および貫通穴を貫通する雄ネジを有し、雄ネジを雌ネジに取り付けることで脚部本体とカバーとを連結させることが考えられる。このように構成すれば、カバーを脚部本体にしっかりと固定することができる。また、脚部本体に対してカバーを容易に位置決めすることができる。
【００１５】
（ハ）また、第一の被係止部が、脚部本体またはカバーの一方から他方へ向けて突起する突起部を有し、第一の係止部が、脚部本体またはカバーの他方に形成され、突起部を挿入可能な挿入孔を有し、突起部を挿入孔に挿入させることで脚部本体とカバーとを連結させることが考えられる。このように構成すれば、カバーを脚部本体にしっかりと固定することができる。また、脚部本体に対してカバーを容易に位置決めすることができる。
【００１６】
また、上述の鍵盤楽器本体の側板および脚部のカバーについては、分離可能に連結することが考えられる。具体的には、請求項５のように、脚部が、鍵盤楽器本体の側板と脚部のカバーとを分離可能に連結する第二の連結部を有し、脚部のカバーが、第二の連結部を隠蔽するよう構成されていることが考えられる。このように構成すれば、例えばグランド型の鍵盤楽器を輸送する際などに、カバーを鍵盤楽器本体の側板から必要に応じて取り外すことができ、したがって、例えばグランド型の鍵盤楽器を輸送しやすくすることができる。
【００１７】
この場合、上述の第二の連結部については、鍵盤楽器本体の側板または脚部のカバーの一方に形成された第二の被係止部と、側板またはカバーの他方に形成され、第二の被係止部を係止可能な第二の係止部と、を有し、第二の係止部が第二の被係止部を係止することで鍵盤楽器本体の側板と脚部のカバーとを連結させることが考えられる(請求項６)。
【００１８】
なお、第二連結部の具体例としては、次のような構成が考えられる。
（ニ）すなわち、請求項７のように、第二の被係止部が、鍵盤楽器本体の側板または脚部のカバーの一方から他方へ向けて突起する突起部を有し、第二の係止部が、鍵盤楽器本体の側板または脚部のカバーの他方に形成され、突起部を挿入可能な挿入孔を有し、突起部を挿入孔に挿入させることで鍵盤楽器本体の側板と脚部のカバーとを連結させることが考えられる。このように構成すれば、脚部のカバーを鍵盤楽器本体の側板にしっかりと固定することができる。また、鍵盤楽器本体の側板に対して脚部のカバーを容易に位置決めすることができる。
【００１９】
（ホ）また、第二の係止部が、面ファスナーの片側を有し、第二の被係止部が、面ファスナーの片側に対応する面ファスナーの他方側を有し、面ファスナーの片側と面ファスナーの他方側とを付着させることで鍵盤楽器本体の側板と脚部のカバーとを連結させることが考えられる。このように構成すれば、面ファスナーの片側を面ファスナーの他方側へ押し付けるようにすれば両者を容易に付着させることができ、したがって、脚部のカバーを鍵盤楽器本体の側板に容易に取り付けることができる。
【００２０】
（ヘ）また、第二の係止部が、鍵盤楽器本体の側板または脚部のカバーの一方に形成された雌ネジを有し、第二の被係止部が、鍵盤楽器本体の側板または脚部のカバーの他方を貫通するように形成された貫通穴および前記貫通穴を貫通する雄ネジを有し、雄ネジを雌ネジに取り付けることで鍵盤楽器本体の側板と脚部のカバーとを連結させることが考えられる。このように構成すれば、脚部のカバーを鍵盤楽器本体の側板にしっかりと固定することができる。また、鍵盤楽器本体の側板に対して脚部のカバーを容易に位置決めすることができる。
【発明を実施するための最良の形態】
【００２１】
以下に本発明の実施形態を図面とともに説明する。
［第一実施形態］
図１は、本実施形態のグランド型電子ピアノ１を示す斜視図である。また、図２は、棚板２１および脚部本体６の構成を示す分解斜視図である。また、図３は、ピアノ本体２および脚部本体６の構成と、それらの連結方法を示す説明図である。
【００２２】
なお、以下の説明においては、グランド型電子ピアノ１を演奏者から見た場合の手前側（図１において鍵盤３９が配置される側）を「前方向」、その反対側を「後方向」とし、さらに多数の鍵４１（図１に一部のみ図示）の並び方向を「左右方向」として説明する。
【００２３】
［グランド型電子ピアノ１の構成の説明］
図１に示すように、グランド型電子ピアノ１は、鍵盤楽器本体としてのピアノ本体２、ピアノ本体２を支持する３本の脚部本体６（図１では左右一対の脚部本体６のみ図示し、後方の脚部本体６は図示せず）、ピアノ本体２から下方へ延びるペダルユニット８、などを備えている。以下、ピアノ本体２を詳細に説明する。
【００２４】
［ピアノ本体２の構成の説明］
ピアノ本体２は、その下面部を構成する棚板２１、左右一対の側板２３、フレーム２５、上前板２７、上板２９、上板支持部材３０、大屋根３１、突き上げ棒３３、口棒３５、鍵盤蓋３７を備えている。また、ピアノ本体２は、鍵盤３９、左右一対の拍子木４３を備えている。鍵盤３９は、多数の鍵４１（一部のみ図示）と、それらの鍵４１の下方または後方にそれぞれ鍵スイッチ（図示せず）を有している。さらに、ピアノ本体２は、響板４５、響板４５に取り付けられた３個のスピーカ４７、前記棚板２１に取り付けられた電子音源部４９、電源部５１、などを備えている。電源部５１は、電子音源部４９などに電力を供給する。上前板２７は下端が鍵盤３９に近く、上端が鍵盤３９から遠くなるように傾斜している。
【００２５】
［棚板２１の構成の説明］
棚板２１は、ピアノ本体２の平面の全体にわたる形状およびサイズで形成されており、厚さ１８ｍｍ程度の１枚の合板で構成されている。
【００２６】
［鍵盤蓋３７の構成の説明］
鍵盤蓋３７は、蓋体３７ａと、蓋体３７ａの内面（鍵盤蓋３７の開放時は上面となる）に配置された操作パネル３７ｂとを有している。蓋体３７ａは、Ｌ字状の断面形状を有している。鍵盤蓋３７は、蓋体３７ａの平板部の一端（鍵盤蓋３７の開放時は下端となる）が、上前板２７の一端（鍵盤蓋３７の開放時は下端となる）に蝶番（図示省略）を介して回動可能に取り付けられており、蝶番を中心として、開放位置（図１参照）と閉鎖位置（図示省略）との間で回動することによって開閉される。
【００２７】
操作パネル３７ｂは、楽音のトーンやボリュームなどを調整する多数のスイッチ群や電子回路が形成されたプリント基板など（いずれも図示せず）を有する。
［側板２３の構成の説明］
次に、左右一対の側板２３について説明する。なお、これら左右一対の側板２３の構成については左右対称であるため、ここでは左側の側板２３について説明し、右側の側板２３についてはその詳細な説明は省略する。
【００２８】
図３に示すように、左側の側板２３の上端部付近には、切り欠き部２３ａが形成されている。なお、この切り欠き部２３ａの幅寸法は、対応する後述するブラケット６４の水平部６４ｂおよび先端部６４ｃの幅寸法よりもそれぞれ若干大きく設定されている。また、切り欠き部２３ａの内部における外壁側には段差部２３ｂが形成されており、その外壁側の方がその内壁側よりも高くなっている。
【００２９】
［脚部本体６の構成の説明］
次に、脚部本体６について説明する。なお、これら左右一対の脚部本体６および脚部本体６に取り付けられる取付金具１５などの構成については左右対称であるため、ここでは左側の脚部本体６について説明し、右側の脚部本体６についてはその詳細な説明は省略する。また、上述の３本の脚部本体６のうち後方側の脚部本体６についても、他の脚部本体６と同様の構成を有するので、ここではその詳細な説明は省略する。
【００３０】
図２（ａ）に示すように、脚部本体６は、矩形の断面を有するムクの木材で構成され、下方に向かってテーパが付けられている。３本の脚部本体６のうち前方側左右の脚部本体６は、棚板２１に対して次のように取り付けられている。すなわち、脚部本体６の上面には、取付金具１５が６本のねじ１６で固定されている（図２（ｂ）参照）。この取付金具１５は、略Ｔ字形に形成された鋼板で構成されており、且つそのＴ字形の各辺にボルト孔１５ａがそれぞれ形成されている。一方、棚板２１の左右端部には、３つのボルト孔２１ａがボルト孔１５ａに対応するように形成されている。
【００３１】
そして、棚板２１のボルト孔２１ａと取付金具１５のボルト孔１５ａとが連通するように棚板２１および取付金具１５を上下方向に重ね、この連通した棚板２１のボルト孔２１ａおよび取付金具１５のボルト孔１５ａへボルト１７（ねじ）を取付金具１５側（下方）から通すとともに、棚板２１から上方に突出したボルト１７のねじ部を、座金１８付きのナット１９で締め付けることによって、棚板２１および脚部本体６が互いに一体に連結されて組み立てられる。
【００３２】
［カバー６１などの構成の説明］
次に、左右一対のカバー６１について説明する。なお、これら左右一対のカバー６１の構成については左右対称であるため、ここでは左側のカバー６１について説明し、右側のカバー６１についてはその詳細な説明は省略する。
【００３３】
図３に示すように、上述の３本の脚部本体６のうち前方左側の脚部本体６には、カバー６１が分離可能に連結されている。このカバー６１は、ムクの板材で構成され、脚部本体６の少なくとも一部およびの側板２３の少なくとも一部を覆うよう形成されている。具体的には、カバー６１は、その幅寸法が脚部本体６の幅寸法よりも大きく形成されるとともに、脚部本体６および側板２３に取り付けられた際に上前板２７の端部および上板２９の端部に沿うようその上部が形成されている。そして、脚部本体６には、面ファスナーのループ側６２が取り付けられており、カバー６１の内面側には、面ファスナーのフック側６３が取り付けられており、これら面ファスナーのループ側６２と面ファスナーのフック側６３とを付着されることで、脚部本体６とカバー６１とが連結されている。
【００３４】
また、上述のように前方左側の脚部本体６に分離可能に連結されたカバー６１は、側板２３に分離可能に連結されている。すなわち、カバー６１の上端部にはブラケット６４が取り付けられている。このブラケット６４は、板状の金属材料で構成され、カバー６１に取り付けられる基部６４ａと、基部６４ａから水平方向へ延出突出する水平部６４ｂと、水平部６４ｂの先端から下方へ延出する先端部６４ｃと、を備えている。そして、ブラケット６４の先端部６４ｃを側板２３の切り欠き部２３ａの段差部２３ｂよりも内側に位置させることで、側板２３の段差部２３ｂがブラケット６４の先端部６４ｃを係止する状態としている。
【００３５】
なお、上述の脚部本体６、取付金具１５、６本のねじ１６、ボルト１７、ナット１９、カバー６１、面ファスナーのループ側６２、面ファスナーのフック側６３およびブラケット６４が脚部６０を形成する。
【００３６】
また、面ファスナーのループ側６２が第一の被係止部材および面ファスナーの片側に該当し、面ファスナーのフック側６３が第一の係止部および面ファスナーの他方側に該当し、これら面ファスナーのループ側６２および面ファスナーのフック側６３が第一の連結部に該当する。また、ブラケット６４の先端部６４ｃが第二の被係止部に該当し、ブラケット６４の水平部６４ｂおよび先端部６４ｃが突起部に該当し、側板２３の切り欠き部２３ａが挿入孔に該当し、側板２３の切り欠き部２３ａ内部に形成された段差部２３ｂが第二の係止部に該当し、これらブラケット６４の先端部６４ｃおよび側板２３の段差部２３ｂが第二の連結部に該当する。
【００３７】
なお、本実施形態のグランド型電子ピアノ１のその他の構成は、公知技術に従っているので、ここでは詳細な説明は省略する。
［第一実施形態の効果］
（１）このように第一実施形態のグランド型電子ピアノ１によれば、次のような作用効果を奏する。すなわち、脚部本体６の少なくとも一部およびピアノ本体２の側板２３の少なくとも一部を覆うカバー６１が、脚部本体６に固定されるとともに側板２３にも固定され、脚部本体６がカバー６１を介してピアノ本体２の側板２３にも固定される。つまり、脚部本体６がピアノ本体２の棚板２１および側板２３に固定される。このことにより、例えば脚部本体６を細くすることによって脚部本体６における長さ寸法と幅寸法との比率を大きくすることでその外観を軽快感のある外観としても、ピアノ本体２を支持するために必要な強度を保つことできる。したがって、グランド型電子ピアノ１において、ピアノ本体２を支持する脚部６０の強度を保ちながらその外観を向上させることができる。
【００３８】
（２）また、第一実施形態のグランド型電子ピアノ１によれば、上述の脚部６０の脚部本体６およびカバー６１が分離可能に連結され、カバー６１がその連結部分を隠蔽するよう構成されている。なお、脚部本体６およびカバー６１の連結箇所については、次のように構成されている。すなわち、脚部本体６には面ファスナーのループ側６２が取り付けられ、一方、カバー６１の内面側には面ファスナーのフック側６３が取り付けられており、これら面ファスナーのループ側６２と面ファスナーのフック側６３とを付着されることで脚部本体６とカバー６１とが連結されている。このことにより、例えばグランド型電子ピアノ１を輸送する際などに、カバー６１を脚部本体６から必要に応じて取り外すことができ、したがって、例えばグランド型電子ピアノ１を輸送しやすくすることができる。また、面ファスナーのループ側１６２を面ファスナーのフック側１６３へ押し付けるようにすれば両者を容易に付着させることができ、したがって、脚部６０のカバー６１をピアノ本体２の側板２３に容易に取り付けることができる。
【００３９】
（３）また、第一実施形態のグランド型電子ピアノ１によれば、上述のピアノ本体２の側板２３および脚部６０のカバー６１については分離可能に連結され、カバー６１がその連結部分を隠蔽するよう構成されている。すなわち、ブラケット６４の先端部６４ｃを側板２３の切り欠き部２３ａの段差部２３ｂよりも内側に位置させることで、側板２３の段差部２３ｂがブラケット６４の先端部６４ｃを係止する状態としている。例えばグランド型電子ピアノ１を輸送する際などに、カバー６１をピアノ本体２の側板２３から必要に応じて取り外すことができ、したがって、例えばグランド型電子ピアノ１を輸送しやすくすることができる。
【００４０】
［別実施形態］
以上、本発明の一実施形態について説明したが、本発明は上記実施形態に限定されるものではなく、以下のような様々な態様にて実施することが可能である。
【００４１】
（１）上記実施形態では、本発明をグランド型電子ピアノ１に適用した例を説明したが、これには限られず、グランド型の鍵盤楽器であれば本発明を適用してもよい。
（２）上記実施形態では、脚部本体６およびカバー６１の連結箇所については、脚部本体６には面ファスナーのループ側６２が取り付けられ、一方、カバー６１の内面側には面ファスナーのフック側６３が取り付けられており、これら面ファスナーのループ側６２と面ファスナーのフック側６３とを付着されることで脚部本体６とカバー６１とが連結されているが、これには限られず、脚部本体６に面ファスナーのフック側６３を取り付け、一方、カバー６１の内面側に面ファスナーのループ側６２を取り付け、これら面ファスナーのフック側６３と面ファスナーのループ側６２とを付着させることで脚部本体６とカバー６１とを連結させるよう構成してもよい。
【００４２】
（３）また、図４（ａ）に例示するように、脚部本体１０６に切り欠き部１０６ａを形成し、切り欠き部１０６ａの内部における外壁側に段差部１０６ｂをその外壁側の方がその内壁側よりも高くなるよう形成するとともに、カバー６１に取り付けられる基部７４ａと、基部７４ａから水平方向へ延出突出する水平部７４ｂと、水平部７４ｂの先端から下方へ延出する先端部７４ｃと、を備えるブラケット７４をカバー６１に取り付け、ブラケット７４の先端部７４ｃを脚部本体１０６の切り欠き部１０６ａの段差部１０６ｂよりも内側に位置させることで、脚部本体１０６の段差部１０６ｂがブラケット７４の先端部７４ｃを係止する状態となるよう構成してもよい。なお、上述の切り欠き部１０６ａの幅寸法は、対応するブラケット７４の水平部７４ｂおよび先端部７４ｃの幅寸法よりもそれぞれ若干大きく設定されている。なお、脚部本体１０６側に上述のようなブラケットを取り付け、カバー６１側に上述のような切り欠き部および段差部を形成してもよい。このようにすれば、カバー６１を脚部本体１０６にしっかりと固定することができる。また、脚部本体１０６に対してカバー６１を容易に位置決めすることができる。
【００４３】
（４）また、図４（ｂ）に例示するように、例えばいわゆる鬼目ナット８１を埋設させるなどカバー６１の内面側に雌ネジ部８２を形成し、一方、脚部本体２０６に左右方向に貫通する貫通穴２０６ａを形成し、この貫通穴２０６ａを貫通させた雄ネジ２０７をカバー６１の雌ネジ部８２に取り付けることで、カバー６１を脚部本体２０６に取り付けるようにしてもよい。なお、脚部本体２０６側に上述のような雌ネジ部を形成し、カバー６１側に上述のような貫通穴を形成し、貫通穴を貫通させた雄ネジを雌ねじ部に取り付けてもよい。このようにすれば、カバー６１を脚部本体２０６にしっかりと固定することができる。また、脚部本体２０６に対してカバー６１を容易に位置決めすることができる。
【００４４】
（５）また、図４（ｃ）に例示するように、Ｌ型のブラケット９１を用いてカバー６１を脚部本体３０６に固定するようにしてもよい。すなわち、ブラケット９１の一方辺９１ａを図示しないビスなどでカバー６１の内面側に固定し、ブラケット９１の他方辺９１ｂを図示しないビスなどで脚部本体３０６の内面側に固定する。なおこの場合、ブラケット９１の他方辺９１ｂが脚部本体３０６の後側に配置されるようにすれば、演奏者側からはブラケット９１を見にくくすることができる。このようにすれば、カバー６１を脚部本体３０６にしっかりと固定することができる。
【００４５】
（６）上記実施形態では、ブラケット６４の先端部６４ｃを側板２３の切り欠き部２３ａの段差部２３ｂよりも内側に位置させることで、側板２３の段差部２３ｂがブラケット６４の先端部６４ｃを係止する状態とし、上述のピアノ本体２の側板２３および脚部６０のカバー６１が分離可能に連結されているが、これには限られず、図５（ａ）に例示するように、ピアノ本体２の側板２３に面ファスナーのループ側１６２を取り付け、一方、カバー６１の内面側に面ファスナーのフック側１６３を取り付け、これら面ファスナーのループ側１６２と面ファスナーのフック側１６３とを付着させることでピアノ本体２の側板２３とカバー６１とを連結するよう構成してもよい。なお、ピアノ本体２の側板２３に面ファスナーのフック側１６３を取り付け、一方、カバー６１の内面側に面ファスナーのループ側１６２を取り付け、これら面ファスナーのフック側１６３と面ファスナーのループ側１６２とを付着させることでピアノ本体２の側板２３とカバー６１とを連結するよう構成してもよい。
【００４６】
このようにすれば、面ファスナーのループ側１６２を面ファスナーのフック側１６３へ押し付けるようにすれば両者を容易に付着させることができ、したがって、脚部６０のカバー６１をピアノ本体２の側板２３に容易に取り付けることができる。
【００４７】
（７）また、図５（ｂ）に例示するように、Ｌ型のブラケット１６４を用いてカバー６１を側板２３に固定するようにしてもよい。すなわち、ブラケット１６４の一方辺１６４ａを図示しないビスなどでカバー６１の内面側に固定し、ブラケット１６４の他方辺１６４ｂを図示しないビスなどで側板２３の内面側に固定する。このようにすれば、カバー６１をピアノ本体２の側板２３にしっかりと固定することができる。
【００４８】
（８）また、図５（ｃ）に例示するように、例えばいわゆる鬼目ナット２６４を埋設させるなどカバー６１の内面側に雌ネジ部２６５を形成し、一方、側板２３に左右方向に貫通する貫通穴１２３を形成し、この貫通穴１２３を貫通させた雄ネジ１２４をカバー６１の雌ネジ部２６５に取り付けることで、カバー６１を側板２３に取り付けるようにしてもよい。なお、側板２３側に上述のような雌ネジ部を形成し、カバー６１側に上述のような貫通穴を形成し、貫通穴を貫通させた雄ネジを雌ねじ部に取り付けてもよい。このようにすれば、カバー６１をピアノ本体２の側板２３にしっかりと固定することができる。また、ピアノ本体２の側板２３に対してカバー６１を容易に位置決めすることができる。
【図面の簡単な説明】
【００４９】
【図１】第一実施形態のグランド型電子ピアノを示す斜視図である。
【図２】（ａ）は棚板および脚部の構成を示す分解斜視図（１）であり、（ｂ）は棚板および脚部の構成を示す分解斜視図（２）である。
【図３】ピアノ本体および脚部の構成と、それらの連結方法を示す説明図である。
【図４】（ａ）は別実施形態のグランド型電子ピアノの脚部本体およびカバーの構成と、それらの連結方法を示す説明図（１）であり、（ｂ）は別実施形態のグランド型電子ピアノの脚部本体およびカバーの構成と、それらの連結方法を示す説明図（２）であり、（ｃ）は別実施形態のグランド型電子ピアノの脚部本体およびカバーの構成と、それらの連結方法を示す説明図（３）である。
【図５】（ａ）は別実施形態のグランド型電子ピアノの側板およびカバーの構成と、それらの連結方法を示す説明図（１）であり、（ｂ）は別実施形態のグランド型電子ピアノの側板およびカバーの構成と、それらの連結方法を示す説明図（２）であり、（ｃ）は別実施形態のグランド型電子ピアノの側板およびカバーの構成と、それらの連結方法を示す説明図（３）である。
【符号の説明】
【００５０】
１…グランド型電子ピアノ、２…ピアノ本体、６…脚部本体、８…ペダルユニット、
１５…取付金具、１５ａ…ボルト孔、１７…ボルト、１８…座金、１９…ナット、
２１…棚板、２１ａ…ボルト孔、２３…側板、２３ａ…切り欠き部、２３ｂ…段差部、
２５…フレーム、２７…上前板、２９…上板、３０…上板支持部材、３１…大屋根、
３３…突き上げ棒、３５…口棒、３７…鍵盤蓋、３７ａ…蓋体、３７ｂ…操作パネル、
３９…鍵盤、４１…鍵、４３…拍子木、４５…響板、４７…スピーカ、
４９…電子音源部、５１…電源部、６０…脚部、６１…カバー、
６２，１６２…面ファスナーのループ側、６３，１６３…面ファスナーのフック側、
６４，７４…ブラケット、６４ａ，７４ａ…ブラケットの基部、
６４ｂ，７４ｂ…ブラケットの水平部、６４ｃ，７４ｃ…ブラケットの先端部、
８１，２６４…鬼目ナット、８２，２６５…雌ネジ部、
９１…Ｌ型のブラケット、９１ａ…Ｌ型のブラケットの一方辺、
９１ｂ…Ｌ型のブラケットの他方辺、
１０６，２０６…脚部本体、１０６ａ…脚部本体の切り欠き部、
１０６ｂ…脚部本体の段差部、１２３，２０６ａ…貫通穴、１２４，２０７…雄ネジ、
１６４…Ｌ型のブラケット、１６４ａ…Ｌ型のブラケットの一方辺、
１６４ｂ…Ｌ型のブラケットの他方辺
【図１】
2007256455.tif 000003
【図２】
2007256455.tif 000004
【図３】
2007256455.tif 000005
【図４】
2007256455.tif 000006
【図５】
2007256455.tif 000007